(57)【特許請求の範囲】
【請求項１】
建造物の開口に設置して水の浸入を堰き止める止水板と、前記止水板を支持する支持部材と、の間の隙間の止水構造において、
吸水するにつれて体積が膨張する吸水性膨張材が前記隙間で膨張するように前記止水板に取り付けられており、
前記吸水性膨張材は、吸水性材料と、この吸水性材料を内包する透水性の袋と、を備えており、
前記袋は、前記吸水性材料の吸水前においては長尺帯状であり、前記吸水性材料の吸水後においては前記隙間内で拡張可能に構成されていることを特徴とする止水構造。
【請求項２】
建造物の開口に設置して水の浸入を堰き止める止水板と、前記止水板を支持する支持部材と、の間の隙間の止水構造において、
吸水するにつれて体積が膨張する吸水性膨張材が前記隙間で膨張するように前記止水板に予め取り付けられており、
不使用時においては前記吸水性膨張材の表面が非透水性の保護膜で覆われていることを特徴とする止水構造。
【請求項３】
請求項２に記載の止水構造において、
前記吸水性膨張材は、吸水性材料と、この吸水性材料を内包する透水性の袋と、を備えており、
前記袋は、前記吸水性材料の吸水前においては長尺帯状であり、前記吸水性材料の吸水後においては前記隙間内で拡張可能に構成されていることを特徴とする止水構造。
【請求項４】
建造物の開口に設置して水の浸入を堰き止める止水板と、前記止水板を支持する支持部材と、の間の隙間の止水構造において、
吸水するにつれて体積が膨張する吸水性膨張材が前記隙間で膨張するように前記止水板に取り付けられており、
前記止水板は、立てられた状態の複数の板材が積み重ねられて構成されており、
下段の前記板材の上面が凸状に形成され、
上段の前記板材の下面には前記板材の上面に重なり嵌合する凹状の溝が形成され、
前記溝の底部に前記吸水性膨張材が設けられることを特徴とする止水構造。
【請求項５】
請求項４に記載の止水構造において、
前記吸水性膨張材は、吸水性材料と、この吸水性材料を内包する透水性の袋と、を備えており、
前記袋は、前記吸水性材料の吸水前においては長尺帯状であり、前記吸水性材料の吸水後においては前記隙間内で拡張可能に構成されていることを特徴とする止水構造。
【請求項６】
請求項４又は５に記載の止水構造において、
前記吸水性膨張材は前記止水板に予め取り付けられ、
不使用時においては前記吸水性膨張材の表面が非透水性の保護膜で覆われていることを特徴とする止水構造。
【請求項７】
請求項１から３のいずれか一項に記載の止水構造において、
前記止水板の下縁および両側縁に前記吸水性膨張材が取り付けられ、
前記支持部材は建物のドア枠であり、
前記止水板はドアが開いた状態で前記ドア枠の下部に設置され、
前記ドアを閉めることで、前記ドア枠の下部と前記ドアの下部に前記止水板が圧着され、
前記ドアの下部における下縁および両側縁と、前記ドア枠の下部における下枠および両側枠と、の間の隙間が、前記止水板に取り付けられた前記吸水性膨張材で塞がれることを特徴とする止水構造。
【請求項８】
請求項７に記載の止水構造において、
前記止水板には、前記止水板の下縁および両側縁から外側へ張り出す軟質止水材が設けられ、
前記吸水性膨張材が前記軟質止水材の表面に貼り付けられることを特徴とする止水構造。
【発明の詳細な説明】
【技術分野】
【０００１】
本発明は、止水構造に関する。
【背景技術】
【０００２】
従来、大雨や洪水などの際、建物や地下鉄駅の出入口に水が浸入するのを防止するために止水板（防水板）を設置して水を堰き止めるようにしている。
特許文献１に記載の防水板の止水構造では、ガイド溝３１を有する支柱３０に防水板３２がガイド溝３１に沿って取り付けられ、支柱３０と防水板３２との間に生じる隙間に止水チューブ３３を設けている。
この止水チューブ３３は、中空なゴム等の弾性体で形成されており、内部に気体もしくは液体が封入されることで膨張する。このため、支柱３０と防水板３２との隙間が止水チューブ３３により埋められ、止水構造が形成されることとなる。
【先行技術文献】
【特許文献】
【０００３】
【特許文献１】実開平０７−３８４７２号公報
【発明の概要】
【発明が解決しようとする課題】
【０００４】
しかしながら、特許文献１に記載の防水板の止水構造では、支柱３０に防水板３２を取り付けた後、支柱３０と防水板３２との隙間に設けられた止水チューブ３３に気体もしくは液体を封入して止水チューブ３３を膨らませて隙間を閉塞し、止水性を発揮している。
このため、支柱３０に防水板３２を取り付けるだけでは止水性を発揮することができず、止水構造を設置するのに時間を要するという問題がある。
設置に時間を要するため、ゲリラ豪雨など突発的な降雨に対して迅速に対応することができないという問題がある。
【０００５】
本発明は、上記課題に鑑みてなされたもので、迅速に設置ができ、かつ、高い止水性を発揮できる止水構造を提供することを目的とする。
【課題を解決するための手段】
【０００６】
上記課題を解決するため、請求項１に記載の発明は、例えば、図１−３に示すように、建造物の開口２ａに設置して水の浸入を堰き止める止水板５０と、前記止水板５０を支持する支持部材７と、の間の隙間の止水構造１において、吸水するにつれて体積が膨張する吸水性膨張材８が前記隙間で膨張するように前記止水板５０に取り付けられており、
前記吸水性膨張材８は、吸水性材料８１と、この吸水性材料８１を内包する透水性の袋８２と、を備えており、前記袋８２は、前記吸水性材料８１の吸水前においては長尺帯状であり、前記吸水性材料８１の吸水後においては前記隙間内で拡張可能に構成されていることを特徴とする。
【０００７】
請求項１に記載の発明によれば、建造物の開口２ａに設置して水の浸入を堰き止める止水板５０と、前記止水板５０を支持する支持部材７と、の間の隙間の止水構造１において、吸水するにつれて体積が膨張する吸水性膨張材８が前記隙間で膨張するように止水板５０に取り付けられているので、止水板５０が水を堰き止める際、支持部材７と止水板５０との隙間から浸入する水を吸水性膨張材８により吸水することができる。
また、吸水性膨張材８は、吸水することで支持部材７と止水板５０との隙間において膨張するので、吸水性膨張材８が隙間を閉塞することができる。
このため、支持部材７と止水板５０との隙間に止水チューブを設けて気体もしくは液体を封入する必要がなく、隙間に吸水性膨張材８を設けるだけで、止水性を発揮することができる。
これによって、ゲリラ豪雨のような突発的な浸水のおそれに対しても迅速に止水対策を講じることができる。
【０００９】
さらに、吸水性膨張材８は、吸水性材料８１と、この吸水性材料８１を内包する透水性の袋８２と、を備えており、袋８２は、吸水性材料８１の吸水前においては長尺帯状であり、吸水性材料８１の吸水後においては隙間内で拡張可能に構成されているので、吸水性膨張材８が吸水して膨張することで軟化しても、その後、浸入しようとする水の水圧により押し流されてしまうおそれをなくすことができる。
【００１０】
請求項２に記載の発明は、建造物の開口２ａに設置して水の浸入を堰き止める止水板５０と、前記止水板５０を支持する支持部材７と、の間の隙間の止水構造において、吸水するにつれて体積が膨張する吸水性膨張材８が前記隙間で膨張するように前記止水板５０に予め取り付けられており、
不使用時においては前記吸水性膨張材８の表面が非透水性の保護膜で覆われていることを特徴とする。
【００１１】
請求項２に記載の発明によれば、建造物の開口２ａに設置して水の浸入を堰き止める止水板５０と、前記止水板５０を支持する支持部材７と、の間の隙間の止水構造１において、吸水するにつれて体積が膨張する吸水性膨張材８が前記隙間で膨張するように止水板５０に取り付けられているので、止水板５０が水を堰き止める際、支持部材７と止水板５０との隙間から浸入する水を吸水性膨張材８により吸水することができる。
また、吸水性膨張材８は、吸水することで支持部材７と止水板５０との隙間において膨張するので、吸水性膨張材８が隙間を閉塞することができる。
このため、支持部材７と止水板５０との隙間に止水チューブを設けて気体もしくは液体を封入する必要がなく、隙間に吸水性膨張材８を設けるだけで、止水性を発揮することができる。
これによって、ゲリラ豪雨のような突発的な浸水のおそれに対しても迅速に止水対策を講じることができる。
また、例えば、支持部材７が屋外に常設されるような場合であって、かつ、仮に支持部材７に吸水性膨張材８が設けられていると、雨の降り始めの段階で吸水性膨張材８が膨張してしまい、支持部材７に止水板５０を支持させられなくなるおそれがある。
これに対して、請求項２に記載の発明によれば、吸水性膨張材８は止水板５０に予め取り付けられているので、止水板５０を支持部材７に支持させた後に吸水性膨張材８が膨張することになり、支持部材７に止水板５０を支持させられなくなるようなおそれがない。
さらに、吸水性膨張材８の表面が非透水性の保護膜で覆われているので、止水板５０を取り付ける直前に非透水性の保護膜を剥離すれば、より一層吸水性膨張材８が止水板５０を取り付ける前に膨張してしまうおそれをなくすことができる。
このため、ゲリラ豪雨など突発的な降雨によって支持部材７が濡れたとしても止水板５０を屋内や屋外収納庫などに格納しておき、止水板５０を支持部材７に取り付ける直前に非透水性の保護膜を剥離すれば、吸水性膨張材８が膨張する前に支持部材７に止水板５０を取り付けることができる。
つまり、支持部材７を屋外に常設することができ、止水対策を行う際に、止水板５０を格納場所から取り出して支持部材７に取り付けるだけで止水対策を講じることができる。
（請求項３について）
請求項３に記載の発明は、請求項２に記載の止水構造において、例えば、図１−３に示すように、前記吸水性膨張材８は、吸水性材料８１と、この吸水性材料８１を内包する透水性の袋８２と、を備えており、前記袋８２は、前記吸水性材料８１の吸水前においては長尺帯状であり、前記吸水性材料８１の吸水後においては前記隙間内で拡張可能に構成されていることを特徴とする。
請求項３に記載の発明によれば、吸水性膨張材８は、吸水性材料８１と、この吸水性材料８１を内包する透水性の袋８２と、を備えており、袋８２は、吸水性材料８１の吸水前においては長尺帯状であり、吸水性材料８１の吸水後においては隙間内で拡張可能に構成されているので、吸水性膨張材８が吸水して膨張することで軟化しても、その後、浸入しようとする水の水圧により押し流されてしまうおそれをなくすことができる。
【００１２】
請求項４に記載の発明は、例えば、図１，３に示すように、建造物の開口２ａに設置して水の浸入を堰き止める止水板５０と、前記止水板５０を支持する支持部材７と、の間の隙間の止水構造において、吸水するにつれて体積が膨張する吸水性膨張材８が前記隙間で膨張するように前記止水板５０に取り付けられており、
前記止水板５０は、立てられた状態の複数の板材５１が積み重ねられて構成されており、下段の前記板材５１の上面が凸状に形成され、上段の前記板材５１の下面には前記板材５１の上面に重なり嵌合する凹状の溝５１ｂが形成され、前記溝５１ｂの底部に前記吸水性膨張材８が設けられることを特徴とする。
【００１３】
請求項４に記載の発明によれば、建造物の開口２ａに設置して水の浸入を堰き止める止水板５０と、前記止水板５０を支持する支持部材７と、の間の隙間の止水構造１において、吸水するにつれて体積が膨張する吸水性膨張材８が前記隙間で膨張するように止水板５０に取り付けられているので、止水板５０が水を堰き止める際、支持部材７と止水板５０との隙間から浸入する水を吸水性膨張材８により吸水することができる。
また、吸水性膨張材８は、吸水することで支持部材７と止水板５０との隙間において膨張するので、吸水性膨張材８が隙間を閉塞することができる。
このため、支持部材７と止水板５０との隙間に止水チューブを設けて気体もしくは液体を封入する必要がなく、隙間に吸水性膨張材８を設けるだけで、止水性を発揮することができる。
これによって、ゲリラ豪雨のような突発的な浸水のおそれに対しても迅速に止水対策を講じることができる。
また、止水板５０は、立てられた状態の複数の板材５１が積み重ねられて構成されており、下段の板材５１の上面が凸状に形成され、上段の板材５１の下面には板材５１の上面に重なり嵌合する凹状の溝５１ｂが形成され、溝５１ｂの底部に吸水性膨張材８が設けられるので、板材５１を支持部材７に取り付ける際、水に濡れにくく、凹状の溝５１ｂの底部に設けられるので、吸水性膨張材８が位置ずれするおそれがない。
（請求項５について）
請求項５に記載の発明は、請求項４に記載の止水構造において、例えば、図１−３に示すように、前記吸水性膨張材８は、吸水性材料８１と、この吸水性材料８１を内包する透水性の袋８２と、を備えており、前記袋８２は、前記吸水性材料８１の吸水前においては長尺帯状であり、前記吸水性材料８１の吸水後においては前記隙間内で拡張可能に構成されていることを特徴とする。
請求項５に記載の発明によれば、吸水性膨張材８は、吸水性材料８１と、この吸水性材料８１を内包する透水性の袋８２と、を備えており、袋８２は、吸水性材料８１の吸水前においては長尺帯状であり、吸水性材料８１の吸水後においては隙間内で拡張可能に構成されているので、吸水性膨張材８が吸水して膨張することで軟化しても、その後、浸入しようとする水の水圧により押し流されてしまうおそれをなくすことができる。
（請求項６について）
請求項６に記載の発明は、請求項４又は５に記載の止水構造において、前記吸水性膨張材８は前記止水板５０に予め取り付けられ、不使用時においては前記吸水性膨張材８の表面が非透水性の保護膜で覆われていることを特徴とする。
例えば、支持部材７が屋外に常設されるような場合であって、かつ、仮に支持部材７に吸水性膨張材８が設けられていると、雨の降り始めの段階で吸水性膨張材８が膨張してしまい、支持部材７に止水板５０を支持させられなくなるおそれがある。
これに対して、請求項６に記載の発明によれば、吸水性膨張材８は止水板５０に予め取り付けられているので、止水板５０を支持部材７に支持させた後に吸水性膨張材８が膨張することになり、支持部材７に止水板５０を支持させられなくなるようなおそれがない。
さらに、吸水性膨張材８の表面が非透水性の保護膜で覆われているので、止水板５０を取り付ける直前に非透水性の保護膜を剥離すれば、より一層吸水性膨張材８が止水板５０を取り付ける前に膨張してしまうおそれをなくすことができる。
このため、ゲリラ豪雨など突発的な降雨によって支持部材７が濡れたとしても止水板５０を屋内や屋外収納庫などに格納しておき、止水板５０を支持部材７に取り付ける直前に非透水性の保護膜を剥離すれば、吸水性膨張材８が膨張する前に支持部材７に止水板５０を取り付けることができる。
つまり、支持部材７を屋外に常設することができ、止水対策を行う際に、止水板５０を格納場所から取り出して支持部材７に取り付けるだけで止水対策を講じることができる。
【００１４】
請求項７に記載の発明は、請求項１から３のいずれか一項に記載の止水構造において、例えば、図４−６に示すように、前記止水板５０の下縁および両側縁に前記吸水性膨張材８が取り付けられ、前記支持部材７は建物のドア枠１０であり、前記止水板５０はドア３０が開いた状態で前記ドア枠１０の下部に設置され、前記ドア３０を閉めることで、前記ドア枠１０の下部と前記ドア３０の下部に前記止水板５０が圧着され、前記ドア３０の下部における下縁および両側縁と、前記ドア枠１０の下部における下枠および両側の縦枠１４，１５と、の間の隙間が、前記止水板５０に取り付けられた前記吸水性膨張材８で塞がれることを特徴とする。
【００１５】
請求項７に記載の発明によれば、止水板５０の下縁および両側縁に吸水性膨張材８が取り付けられ、支持部材７は建物のドア枠１０であり、止水板５０はドア３０が開いた状態でドア枠１０の下部に設置され、ドア３０を閉めることで、ドア枠１０の下部とドア３０の下部に止水板５０が圧着され、ドア３０の下部における下縁および両側縁と、ドア枠１０の下部における下枠および両側の縦枠１４，１５と、の間の隙間が、止水板５０に取り
付けられた吸水性膨張材８で塞がれるので、ドア３０を閉じた状態において、吸水性膨張材８が止水板５０とドア３０との隙間に設けられ、支持部材７と止水板５０との隙間にも吸水性膨張材８が設けられるので、開口２ａから水が浸入するのを防ぐことができる。
このため、止水構造１とドア３０とを一体的に形成することができる。
【００１６】
請求項８に記載の発明は、請求項７に記載の止水構造において、例えば、図４−６に示すように、前記止水板５０には、前記止水板５０の下縁および両側縁から外側へ張り出す軟質止水材５３ｄ，５５ｄが設けられ、前記吸水性膨張材８が前記軟質止水材５３ｄ，５５ｄの表面に貼り付けられることを特徴とする。
【００１７】
請求項８に記載の発明によれば、止水板５０には、止水板５０の下縁および両側縁から外側へ張り出す軟質止水材５３ｄ，５５ｄが設けられ、吸水性膨張材８が軟質止水材５３ｄ，５５ｄの表面に貼り付けられるので、ドア３０を閉じる際に軟質止水材５３ｄ，５５ｄと吸水性膨張材８をドア枠１０に沿って変形させることにより、止水板５０とドア枠１０との間だけでなく、吸水性膨張材８をドア枠１０とドア３０との間にまで設置することができる。
このため、水を堰き止める機能を果たす箇所が増大し、止水性をより向上させることができる。
【発明の効果】
【００１８】
本発明によれば、迅速に設置ができ、かつ、高い止水性を発揮できる止水構造を提供することができる。
【図面の簡単な説明】
【００１９】
【図１】本発明の第１実施形態に係る止水構造を示した斜視図である。
【図２】本発明の第１実施形態に係る止水構造の支持部材と止水板と吸水性膨張材とを示した断面図である。
【図３】本発明の第１実施形態に係る止水構造の板材同士の接合を示した断面図である。
【図４】本発明の第２実施形態に係る止水構造が設けられたドア装置を屋内側から見て示した正面図である。
【図５】図４において示したＶ−Ｖ断面の断面図である。
【図６】図４において示したＶＩ−ＶＩ断面の断面図である。
【発明を実施するための形態】
【００２０】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２１】
本発明の第１実施形態では、図１に示したように、止水構造１が建物の外壁２の１階床からの矩形状の開口２ａの外方に設けられている。
この止水構造１は建物の外や中へ出入りするための出入口に適用される。出入口は建物の一階または地階の外壁２に設けられており、豪雨時の屋内への浸水がこの止水構造１によって防止される。
第１実施形態では、建物の開口２ａに止水構造１を設けるとしたが、その他の建造物であってもよい。
【００２２】
ここで、建造物としては、例えば建物（例えば、住宅、集合住宅、ビルディング、駅舎その他の建築物）の躯体（特に外壁であり、より具体的には一階又は地階の外壁）、塀、門柱、通路の側壁、地下出入口構造物等である。
また、地下出入口構造物とは、地下施設（例えば、 地下鉄の駅構内、地下通路、地下街、地下室、地下駐車場等）から地上への階段又は通路における地上の出入口を囲う構造物をいう。
【００２３】
止水構造１は、開口２ａから浸入しようとする水を堰き止める止水板５０と、この止水板５０が直立平面となるように支持する支持部材７と、止水板５０と支持部材７との隙間に嵌装される吸水性膨張材８と、を備えている。
【００２４】
図１，３に示すように、止水板５０は、矩形平板である板材５１が立てられた状態で複数積み重ねられて形成される構成である。
立てられた状態の板材５１には、上面に断面矩形状の突起５１ａが設けられ、下面には断面矩形状の溝５１ｂが形成されている。
このため、板材５１を積み重ねる際、下段の板材５１の上面にある突起５１ａと、上段の板材５１の下面にある溝５１ｂとが嵌合するようになっている。
【００２５】
図１，２に示すように、支持部材７は、開口２ａの両側縁部の外壁２に外方から隙間なく当接して設けられている。具体的には、支持部材７と外壁２との間にコーキング材が充填されたり、その他、樹脂製の水密材が設けられたりしている。つまり、支持部材７と外壁２との間が水密になっている。
この支持部材７は、鉛直方向に立設されたコ字状断面の支柱および図示しない地面に設けられる補助下片部材である。支柱のコ字状断面は、離間して設けられる互いの支持部材７に向かって開口しており、厳密にはコ字状断面の縁端部が内側へ向かって直角に折れ曲がっている（例えば、Ｃ形鋼が用いられている）。
補助下片部材は、下段の板材５１の溝５１ｂに合致する突起（突起５１ａと同形状）であり、向かい合う支柱同士を地面に沿って接続している。
支持部材７は、向かい合うコ字状断面の開口に板材５１の両側端がそれぞれ嵌装されることで板材５１を支持している。また、下段の板材５１は、その下面の溝５１ｂが補助下片部材に嵌合される。
また、止水板５０の上面、つまり、最上段の板材５１の上面は、支持部材７に取り付けられる図示しない固定具により上下方向への動きを規制されている。
【００２６】
吸水性膨張材８は、吸水性材料８１を備えており、吸水することで膨潤して体積が増大する。
この吸水性材料８１としては、ポリアクリル酸塩系、ポリスルホン酸塩系、無水マレイン酸塩系、ポリアクリルアミド系、ポリビニルアルコール系、ポリエチレンオキシド系、ポリアスパラギン酸塩系、ポリグルタミン酸塩系、ポリアルギン酸塩系、デンプン系、セルロース系などを用いることができる。
吸水性材料８１は、透水性の袋８２の中に収容されており、この袋８２は長尺帯状に形成されており、幅寸法や長さ寸法に比して厚み寸法が小さく形成されている。吸水性材料８１が吸水して膨張する際には、主にこの厚み寸法が増大するように膨張する。
具体的には、袋８２にガゼットが形成されている、もしくは、袋８２の素材として伸縮性の素材などが用いられている。
【００２７】
また、吸水性膨張材８は、止水板５０の下縁および両側縁に取り付けられる。つまり、吸水性膨張材８は、板材５１の両側縁および最下段に設けられる板材５１の下縁に取り付けられている。
さらに、吸水性膨張材８は、溝５１ｂの底部にも設けられている。このため、板材５１を積み重ねることで突起５１ａと溝５１ｂとの間に吸水性膨張材８が挟み込まれることとなる。
なお、止水板５０、すなわち板材５１は、支持部材７に嵌装されない状態（すなわち、不使用時）においては、風雨にさらされない格納庫などに乾燥状態を保ったまま収納されている。
吸水性膨張材８は、板材５１が支持部材７に嵌装されない状態においては、表面が非透水性の保護膜で覆われている。
この保護膜としては、吸水性膨張材８の表面に膜を形成でき、使用時にはがせるものであればよい。例えば、ポリエチレン等の樹脂製シートによって覆われている。
【００２８】
吸水性膨張材８は、支持部材７に板材５１が嵌装された状態において、支持部材７のコ字状断面の内側と、板材５１の側端部（屋外側平面、屋内側平面および側端面）との間の隙間に嵌装されている。
また、吸水性膨張材８によって閉塞された隙間に僅かな隙間が残存し水が浸入したとしても吸水性膨張材８が浸入した水を吸水して膨張するので、僅かな隙間も吸水性膨張材８が閉塞することとなる。
また、吸水により膨張する吸水性膨張材８は、板材５１の側端部と支持部材７の内面とをそれぞれ押圧するので、それぞれとの接面には大きな圧力が生じることとなり、より一層止水性が向上することとなる。
【００２９】
また、板材５１同士の間からの水の浸入に対しても、積み重なる板材５１の上面の突起５１ａと下面の溝５１ｂとの間に吸水性膨張材８が挟み込まれるので、浸入した水が吸水性膨張材８に吸水されるようになっている。
また、最上段の板材５１の上面は、支持部材７に取り付けられる図示しない固定具により上下方向への動きが規制されているので、板材５１の間の吸水性膨張材８が膨張することで、板材５１が浮き上がることがない。このため、吸水性膨張材８と、板材５１の突起５１ａおよび溝５１ｂとの接面における圧力が大きくなり、より一層板材５１間の止水性が向上することとなる。
また、このような固定具がない場合は、板材５１の重みだけで板材５１同士の接面における圧力を確保する必要があるため、十分に重い板材５１を用いる必要がある。
これに対し、固定具があれば、軽い板材５１を用いることができ、容易に板材５１を設置することができる。
なお、吸水性膨張材８は、吸水して膨張した使用後は、廃棄処分して新たなものを板材５１に取り付ける。このため、袋８２には両面粘着テープが備えられており、膨張した吸水性膨張材８を剥がした後に、新しいものを取り付けるようになっている。
【００３０】
以上のように、第１実施形態では、例えば、図１−３に示すように、建物の開口２ａ部や地下鉄等の出入口に設置して水の浸入を堰き止める止水板５０と、止水板５０を支持する支持部材７と、の間の隙間の止水構造１において、隙間で膨張するように吸水性膨張材８が止水板５０に取り付けられているので、止水板５０が水を堰き止める際、支持部材７と止水板５０との隙間から浸入する水を吸水性膨張材８により吸水することができる。
また、吸水性膨張材８は、吸水することで支持部材７と止水板５０との隙間において膨張するので、吸水性膨張材８が隙間を閉塞することができる。
このため、支持部材７と止水板５０との隙間に止水チューブを設けて気体もしくは液体を封入する必要がなく、隙間に吸水性膨張材８を設けるだけで、止水性を発揮することができる。
これによって、ゲリラ豪雨のような突発的な浸水のおそれに対しても迅速に止水対策を講じることができる。
【００３１】
また第１実施形態では、例えば、図１−３に示すように、吸水性膨張材８は、透水性の袋８２に入れられ、長尺の薄い帯状に形成されているので、吸水性膨張材８が吸水して膨張することで軟化しても、その後、浸入しようとする水の水圧により押し流されてしまうおそれをなくすことができる。
【００３２】
また、第１実施形態では、吸水性膨張材８が止水板５０に取り付けられ、吸水性膨張材８の表面が非透水性の保護膜で覆われているので、例えば、支持部材７が屋外に常設されるような場合、支持部材７に吸水性膨張材８が設けられていると、雨の降り始めの段階で吸水性膨張材８が膨張してしまい、支持部材７に止水板５０を支持させられなくなるようなおそれがない。
さらに、吸水性膨張材８の表面が非透水性の保護膜で覆われているので、止水板５０を取り付ける直前に非透水性の保護膜を剥離すれば、より一層吸水性膨張材８が止水板５０を取り付ける前に膨張してしまうおそれをなくすことができる。
このため、ゲリラ豪雨など突発的な降雨によって支持部材７が濡れたとしても止水板５０を屋内や屋外収納庫などに格納しておき、止水板５０を支持部材７に取り付ける直前に非透水性の保護膜を剥離すれば、吸水性膨張材８が膨張する前に支持部材７に止水板５０を取り付けることができる。
つまり、支持部材７を屋外に常設することができ、止水対策を行う際に、止水板５０を格納場所から取り出して支持部材７に取り付けるだけで止水対策を講じることができる。
【００３３】
また、第１実施形態では、例えば、図１，３に示すように、止水板５０が複数の板材５１を積み重ねることで形成される構造であり、下段の板材５１の上面に矩形状の突起５１ａが設けられ、上段の板材５１の下面には板材５１の上面の突起５１ａに重なり嵌合するコ字状の溝５１ｂが形成され、溝５１ｂの底部に吸水性膨張材８が設けられるので、板材５１を支持部材７に取り付ける際、水に濡れにくく、コ字状の溝５１ｂの底部に設けられるので、吸水性膨張材８が位置ずれするおそれがない。
さらに、板材５１の間からの水の浸入に対して、浸入してきた水を溝５１ｂの底部に設けられた吸水性膨張材８が吸水するので、水の浸入を防ぐことができる。
【００３４】
また、第１実施形態では、最上段の板材５１の上面は、支持部材７に取り付けられる図示しない固定具により上下方向への動きを規制されているので、板材５１の間の吸水性膨張材８が膨張することで、板材５１の浮き上がりを防止することができる。
このため、吸水性膨張材８の膨張により、吸水性膨張材８と、板材５１の突起５１ａおよび溝５１ｂとの接面における圧力が大きくなり、より一層板材５１間の止水性を向上させることができる。
また、このような固定具がない場合は、板材５１の重みだけで板材５１同士の接面における圧力を確保する必要があるため、十分に重い板材５１を用いる必要がある。
これに対し、本実施形態のように固定具があれば、軽い板材５１を用いることができ、容易に板材５１を設置することができる。
このため、比較的体力のない女性や子供でも設置作業を行うことができ、緊急時において、男手がない状況においても止水構造１を設置することができる。
【００３５】
次に、本発明の第２実施形態では、図４に示したように、建物のドア３０の内側に止水構造１が設けられている。
この止水構造１は建物の外や中へ出入りするための出入口に適用される。出入口は建物の一階または地階の外壁２に設けられており、豪雨時の屋内への浸水がこの止水構造１によって防止される。
第２実施形態では、建物のドア３０に止水構造を設けるとしたが、その他の建造物であってもよい。
【００３６】
ここで、建造物としては、例えば建物（例えば、住宅、集合住宅、ビルディング、駅舎その他の建築物）の躯体（特に外壁であり、より具体的には一階又は地階の外壁）、塀、門柱、通路の側壁、地下出入口構造物等である。
また、地下出入口構造物とは、地下施設（例えば、 地下鉄の駅構内、地下通路、地下街、地下室、地下駐車場等）から地上への階段又は通路における地上の出入口を囲う構造物をいう。
【００３７】
この止水構造１は、閉じた状態のドア３０と戸当り２０との間に止水板５０を挟み込むことによって、ドア３０と戸当り２０との間の隙間を通じた浸水を止水板５０によって防止するものである。より具体的には、この止水構造１は、屋外に冠水した水の圧力を利用して、止水板５０を戸当り２０に押し当てることによって止水性を向上させたものである。
【００３８】
続いて、止水構造１の構成について具体的に説明する。
この止水構造１は、ドア枠１０、戸当り２０、ドア３０、ヒンジ４０および止水板５０等から構成されている。
ドア枠１０は外壁２に取り付けられている。より具体的には、外壁２の外側と内側とに通じる矩形状の開口２ａ（前記出入口）が外壁２に設けられており、ドア枠１０がその開口２ａの内側でその開口２ａの縁に沿って外壁２に固定されている。
【００３９】
ドア枠１０は、上枠１２、下枠１３および左右の縦枠１４，１５を矩形状に枠組みしたものである。つまり、縦枠１４，１５が互いに間隔をおいて上下に延在し、上枠１２および下枠１３が互いに間隔をおいて左右に延在し、上枠１２の左右の端が縦枠１４，１５の上端にそれぞれ連結され、下枠１３の左右の端が縦枠１４，１５の下端にそれぞれ連結されている。
【００４０】
戸当り２０は、ドア枠１０の内側に凸状に設けられているとともに、正面から見て矩形枠状に設けられている。戸当り２０は上部戸当り２２、下部戸当り２３および縦戸当り２４，２５から構成されている。上部戸当り２２が、上枠１２の内側に凸状に設けられているとともに、上枠１２に沿って左右に延在する。下部戸当り２３が、下枠１３の内側に凸状に設けられているとともに、下枠１３に沿って左右に延在する。縦戸当り２４，２５は、それぞれ縦枠１４，１５の内側に凸状に設けられているとともに、それぞれ縦枠１４，１５に沿って上下に延在する。
【００４１】
ドア３０は開き戸式の扉である。このドア３０は、ヒンジ４０によって縦枠１４に取り付けられて、このヒンジ４０によって開閉可能に設けられている。具体的には、ドア３０が縦戸当り２４よりも屋外において縦枠１４にヒンジ結合されており、ドア３０が閉じた状態では、ドア３０が戸当り２０よりも屋外に配置されて、そのドア３０が戸当り２０に当たる。つまり、このドア３０は、屋外へ開く外開き式の扉である。
【００４２】
図５は、図４に示すＶ−Ｖに沿った面を矢印方向に向かって見て示した縦断面図である。図５に示すように、上部戸当り２２の屋外側の面には、中空に形成されたエラストマー（ゴム弾性体）からなる図示しない上部パッキンが固着され、上部戸当り２２に沿って設けられている。同様にして、下部戸当り２３の屋外側の面には、中実に形成されたエラストマーからなる下部パッキン６３が固着され、この下部パッキン６３は下部戸当り２３に沿って設けられている。
下部パッキン６３は、中実に形成されているため、上部パッキンよりも高い弾性力を有している。
【００４３】
図６は、図４に示すＶI−ＶIに沿った面を矢印方向に向かって見て示した横断面図である。図６に示すように、図１における右側の縦戸当り２５の屋外側の面には、エラストマーからなる縦パッキン６５が固着され、その縦パッキン６５は縦戸当り２５に沿って設けられている。同様にして、左側の縦戸当り２４の屋外側の面にも縦パッキンが固着され、この左の縦パッキンは縦戸当り２４に沿って設けられている。
縦戸当り２４，２５にそれぞれ設けられる縦パッキン６５および左の縦パッキンは、中空に形成されたエラストマーであるが、板材５１の側部シール５５と当接する箇所のみが中実に形成されている。
縦パッキン６５は、中実に形成された箇所が下部パッキン６３と同等の高い弾性力を有しており、それ以外の中空に形成された箇所が上部パッキンと同等の弾性力を有している。
なお、縦パッキン６５における中実に形成された箇所と中空に形成された箇所は切れ目なく連続している。
【００４４】
図４に示すように、止水板５０は、ドア３０の屋内側の面の下部に対向して、その面に面接触される。この止水板５０は、アタッチメントであって、ドア３０に対して着脱・接離可能である。
【００４５】
止水板５０は、矩形状に設けられた板材５１の縁部にシール５２を設けたものである。
この板材５１の幅寸法は、縦枠１４と縦枠１５との離間寸法と略同じ寸法に形成されている。このため、止水板５０をドア枠１０に取り付ける際、シール５２が縦枠１４，１５に圧着されるようになっている。
また、板材５１は透明、半透明または不透明な金属板、樹脂板、木板、ガラス板またはセラミック板である。図４では、板材５１が樹脂（例えば、アクリル樹脂、ポリカーボネート樹脂、ＡＢＳ樹脂、ＰＶＣ樹脂、ＰＢＴ樹脂若しくはポリアミド樹脂またはこれらの中の２以上のアロイ）からなる。
なお、板材５１が柔軟性・可撓性を有する薄板（シート）であってもよい。その場合には、板材５１が樹脂からなることが好ましい。板材５１を折ったり、丸めたりすることができるので、晴天時等において止水板５０を使用しない場合には、止水板５０をコンパクトにして収納することができる。
【００４６】
シール５２はエラストマーからなる。シール５２は正面から見てＵ字型（横コ字型）に形作られており、シール５２のうち板材５１の左右両側の端部に沿って設けられた部位をそれぞれ側部シール５４，５５といい、シール５２のうち板材５１の下端部に沿って設けられた部位を下部シール５３という。
【００４７】
図５に示すように、下部シール５３は、その一部が横断面Ｕ字型に形成され、ここに板材５１の下端部が嵌め込まれている。
より具体的に説明すると、下部シール５３は、板材５１の下端部を被覆するためのウエブ５３ａと、板材５１の前面および後面の下端部を被覆するためのフランジ部５３ｂ，５３ｃと、を有する。
このため、板材５１の下端部を下部シール５３における横断面Ｕ字型の箇所に嵌め込むだけで、板材５１の下端部が下部シール５３のウエブ５３ａによって被覆され、板材５１の前面および後面の下端部が下部シール５３のフランジ部５３ｂ，５３ｃによってそれぞれ被覆された状態となる。
また、下部シール５３には、板材５１の下端部側から下方へと張り出す下部軟質止水材５３ｄが設けられている。この下部軟質止水材５３ｄは、止水板５０がドア枠１０に立て掛けられる際に、下枠１３の上面に沿って屋外側へ折曲がって配置される。
なお、この下部軟質止水材５３ｄは、上記の横断面Ｕ字型に形成された箇所と一体または一体的に形成されている。
より具体的に説明すると、下部軟質止水材５３ｄは、下部シール５３の下端部であるウエブ５３ａから、板材５１と同一平面内において下方へ張り出して設けられている。さらに、止水板５０をドア枠１０に立て掛ける際、下枠１３にウエブ５３ａが当接されることとなるため、下部軟質止水材５３ｄは、ウエブ５３ａとの接続部から折れ曲がり下枠１３に沿って屋外側へと延出することとなる。
このような下部軟質止水材５３ｄは、ドア３０を閉じた状態において、ドア３０の下面と下枠１３の上面とに挟み込まれている。
【００４８】
吸水性膨張材８は、フランジ部５３ｂの表面（屋内側）に止水板５０の幅方向に沿って延設される下部鉛直部８３と、下部軟質止水材５３ｄの片面（屋内側）に止水板５０の幅方向に沿って延出される下部張出部８４と、が設けられている。
また、吸水性膨張材８は、フランジ部５３ｂからウエブ５３ａを介して下部軟質止水材５３ｄまで下部鉛直部８３と下部張出部８４とが切れ目なく設けられている。
また、ドア３０を閉じた状態において、フランジ部５３ｂおよび下部鉛直部８３が止水板５０と下部パッキン６３とに挟み込まれ、下部軟質止水材５３ｄおよび下部張出部８４がウエブ５３ａから屋外側へと下枠１３に沿って折れ曲がり、ドア３０の下面と下枠１３の上面とに挟み込まれる。
【００４９】
側部シール５５も同様にして、その一部が横断面Ｕ字型に形成され、ここに板材５１の両側縁が嵌め込まれている。
より具体的に説明すると、側部シール５４，５５は、板材５１の両側縁を被覆するためのウエブ５５ａと、板材５１の前面および後面の下縁を被覆するためのフランジ部５５ｂ，５５ｃと、を有する。
このため、板材５１の両側縁を側部シール５４，５５における横断面Ｕ字型の箇所に嵌め込むだけで、板材５１の両側縁が側部シール５４，５５のウエブ５５ａによって被覆され、板材５１の前面および後面の両側縁が側部シール５４，５５のフランジ部５５ｂ，５５ｃによってそれぞれ被覆された状態となる。
また、側部シール５５には、板材５１の両側縁から側方へと張り出す側部軟質止水材５５ｄが設けられている。この側部軟質止水材５５ｄは、止水板５０がドア枠１０に立て掛けられる際に、縦枠１４，１５の内面に沿って屋外側へ折曲がって配置される。
なお、この側部軟質止水材５５ｄは、上記の横断面Ｕ字型に形成された箇所と一体または一体的に形成されている。
より具体的に説明すると、側部軟質止水材５５ｄは、側部シール５５の両側縁であるウエブ５５ａから、板材５１と同一平面内において側方へ張り出して設けられている。さらに、止水板５０をドア枠１０に立て掛ける際、縦枠１４，１５にウエブ５５ａが当接されることとなるため、側部軟質止水材５５ｄは、ウエブ５５ａとの接続部から折れ曲がり縦枠１４，１５に沿って屋外側へと延出することとなる。
このような側部軟質止水材５５ｄは、ドア３０を閉じた状態において、ドア３０の側面と縦枠１４，１５の内面とに挟み込まれている。
【００５０】
吸水性膨張材８は、フランジ部５５ｂの表面（屋内側）に止水板５０の高さ方向に沿って延設される側部鉛直部８５と、側部軟質止水材５５ｄの片面（屋内側）に止水板５０の幅方向に沿って延出される側部張出部８６と、が設けられている。
また、吸水性膨張材８は、フランジ部５５ｂからウエブ５５ａを介して側部軟質止水材５５ｄまで側部鉛直部８５と側部張出部８６とが切れ目なく設けられている。
また、ドア３０を閉じた状態において、フランジ部５５ｂおよび側部鉛直部８５が止水板５０と右の縦パッキン６５および左の縦パッキンとに挟み込まれ、側部軟質止水材５５ｄおよび側部張出部８６がウエブ５５ａから屋外側へと縦枠１４，１５に沿って折れ曲がり、ドア３０の側面と縦枠１４，１５の内面とに挟み込まれる。
なお、左側の側部シール５４は、右側の側部シール５５と対称的に形成されているため、その詳細については説明を省略する。
【００５１】
続いて、止水板５０の設置について説明する。
まず、ドア枠１０に止水板５０を設置する。
ドア３０を屋外側へ開けて、止水板５０の板材５１を戸当り２０の屋外側で下部戸当り２３および縦戸当り２４，２５に立て掛ける。
このとき、フランジ部５３ｂの表面に設けられた下部鉛直部８３を下部パッキン６３に当接し、フランジ部５５ｂの表面に設けられた側部鉛直部８５を縦戸当り２５に設けられた右の縦パッキン６５に当接し、側部シール５４の表面に設けられた側部鉛直部８５を縦戸当り２４に設けられた左の縦パッキンに当接する。
同時に、下枠１３にウエブ５３ａが当接されることとなるため、下部軟質止水材５３ｄは、ウエブ５３ａとの接続部から折れ曲がり下枠１３に沿って屋外側へと延出されることとなり、下部軟質止水材５３ｄの片面に設けられた下部張出部８４が下枠１３の上面に沿って当接されることとなる。
また、縦枠１４，１５にウエブ５５ａが当接されることとなるため、側部軟質止水材５５ｄは、ウエブ５５ａとの接続部から折れ曲がり縦枠１４，１５に沿って屋外側へと延出されることとなり、側部軟質止水材５５ｄの片面に設けられた側部張出部８６が縦枠１４，１５の内面に沿って当接されることとなる。
【００５２】
次に、ドア３０を閉じることにより、板材５１の下端部、下部シール５３、下部パッキン６３および下部鉛直部８３がドア３０と下部戸当り２３との間に挟持される（図５参照）。
また、板材５１の左側の端部、側部シール５４、左の縦パッキンおよび左の側部鉛直部８５がドア３０と縦戸当り２４との間に挟持され、板材５１の右側の端部、側部シール５５、右の縦パッキン６５および右の側部鉛直部８５がドア３０と縦戸当り２５との間に挟持される（図６参照）。
また、下部軟質止水材５３ｄおよび下部張出部８４がドア３０の下面と下枠１３の上面に挟持され（図５参照）、側部軟質止水材５５ｄおよび側部張出部８６がドア３０の側面と縦枠１４，１５の内面とに挟持される（図６参照）。
【００５３】
通常、ドア３０と、下部パッキン６３、縦パッキン６５および左の縦パッキンとの間には何も挟まれることはないが、この箇所に止水板５０が挟み込まれることで下部シール５３、側部シール５４，５５、下部パッキン６３、右の縦パッキン６５、左の縦パッキン、下部鉛直部８３および側部鉛直部８５が圧縮されるので、これらによってドア３０と戸当り２０との間の隙間が閉塞される。
【００５４】
また、下部軟質止水材５３ｄ、側部軟質止水材５５ｄ、下部張出部８４および側部張出部８６が圧縮されるので、ドア３０とドア枠１０の隙間が閉塞される。
このため、止水性が向上する。また、ドア３０の外が冠水すると、水圧によってドア３０が閉じる方向へ押され、下部シール５３、側部シール５４，５５、下部パッキン６３、右の縦パッキン６５、左の縦パッキン、下部鉛直部８３および側部鉛直部８５による止水性、並びに、下部軟質止水材５３ｄ、側部軟質止水材５５ｄ、下部張出部８４および側部張出部８６による止水性がさらに向上する。
【００５５】
また、ドア３０とドア枠１０との隙間に水が浸入する場合は、浸入した水を下部張出部８４および側部張出部８６が吸水することとなる。
吸水した下部鉛直部８３および側部鉛直部８５が膨張することにより、屋内側ドア３０下縁の平面、下部鉛直部８３、下部パッキン６３および下戸当り２３におけるそれぞれの部材の当接圧が高くなる。これと同様に屋内側ドア３０両側縁の平面、側部鉛直部８５、縦パッキン６５、左の縦パッキンおよび縦戸当り２４，２５におけるそれぞれの部材の当接圧が高くなる。
【００５６】
吸水した下部張出部８４および側部張出部８６が膨張することにより、下部軟質止水材５３ｄ、下部張出部８４、ドア３０の下面および下枠１３の上面におけるそれぞれの部材の当接圧が高くなる。これと同様に、側部軟質止水材５５ｄ、側部張出部８６、ドア３０の側面および縦枠１４，１５の内面におけるそれぞれの部材の当接圧が高くなる。
このため、吸水性膨張材８が吸水して膨張すると、ドア３０とドア枠１０との間の止水性がより一層向上することとなる。
【００５７】
なお、止水板５０を撤去する際は、ドア３０を屋外側へ開き、ドア枠１０から止水板５０を取り外すことによって行う。
【００５８】
以上のように、第２実施形態では、例えば、図４−６に示すように、止水板５０の下縁および両側縁に吸水性膨張材８が取り付けられ、支持部材７は建物のドア枠１０であり、止水板５０はドア３０が開いた状態でドア枠１０の下部に設置され、ドア３０を閉めることで、ドア枠１０の下部とドア３０の下部に止水板５０が圧着され、ドア３０の下部における下縁および両側縁と、ドア枠１０の下部における下枠および両側の縦枠１４，１５と、の間の隙間が、止水板５０に取り付けられた吸水性膨張材８で塞がれるので、ドア３０を閉じた状態において、吸水性膨張材８が止水板５０とドア３０との隙間に設けられ、支持部材７と止水板５０との隙間にも吸水性膨張材８が設けられるので、開口２ａから水が浸入するのを防ぐことができる。
このため、止水構造１とドア３０とを一体的に形成することができる。
【００５９】
また、第２実施形態では、例えば、図４−６に示すように、止水板５０には、止水板５０の下縁および両側縁から屋外側へ張り出す軟質止水材５３ｄ，５５ｄが設けられ、吸水性膨張材８が軟質止水材５３ｄ，５５ｄの表面に貼り付けられるので、止水板５０とドア枠１０との間だけでなく、吸水性膨張材８をドア枠１０とドア３０との間にまで設置することができる。
このため、水を堰き止める機能を果たす箇所が増大し、止水性をより向上させることができる。
【００６０】
以上、本発明を第１，２実施形態に基づいて具体的に説明してきたが、本発明は上記第１，２実施形態に限定されるものではなく、その要旨を逸脱しない範囲で変更可能である。
第２実施形態では、ドア３０を閉じて止水構造を形成したがこれに限らず、例えば、ドア３０を開けた状態で止水構造を形成してもよい。
ただし、板材５１は極めて剛性の高い材質からなるか、板材５１の撓みを抑える撓み抑制手段を併用するものとする。
これは、ドア３０を開けた状態に保っても、下部シール５３、側部シール５４，５５、下部パッキン６３、縦パッキン６５、左の縦パッキン、下部軟質止水材５３ｄおよび側部軟質止水材５５ｄによる止水性を確保することができるからである。
具体的には、屋外が冠水すると、水圧が板材５１に直接作用し、板材５１が戸当り２０に押し付けられ、下部シール５３、側部シール５４，５５、下部パッキン６３、縦パッキン６５および左の縦パッキンが圧着される。
また、下部軟質止水材５３ｄおよび側部軟質止水材５５ｄは、水圧により、それぞれ下枠１３および縦枠１４，１５に圧着される。
このため、ドア３０が開いた状態においても、止水性を発揮することができる。
こうすることで、浸水を防止しつつドア３０を開けた状態とすることができるので、緊急時に開口２ａを介して屋内から屋外へと避難、または、屋外から屋内へと救助もしくは一時帰宅等をすることができる。
【００６１】
また、第１実施形態では、補助下片部材が突起５１ａと同形状であるとしたが、これに限らず、例えば、支柱に用いるものと同様のものを用いてもよい。この場合、補助下片部材と板材５１との間に吸水性膨張材８を嵌装することで地面と板材５１との間の止水性を確保することができる。
【００６２】
また、第１実施形態では、補助下片部材を用いるとしたが、これに限らず、例えば、板材５１を設置する箇所が土等である場合、下段の板材５１の下面を先鋭形状にして、地面に突き刺すようにしてもよい。
【００６３】
また、第２実施形態では、下部シール５３がウエブ５３ａおよびフランジ部５３ｂ，５３ｃにより断面がＵ字状になるとしたが、これに限らず、例えば、フランジ部５３ｃを設けない構成としてもよい。この場合、軟質止水材５３ｄが止水板５０とドア３０とを被覆するので、止水性への影響はない。
また、側部シール５５においても同様に、フランジ部５５ｃがない構成としてもよい。
【符号の説明】
【００６４】
１     止水構造
２     外壁
２ａ   開口
７     支持部材
８     吸水性膨張材
１０   ドア枠
１２   上枠
１３   下枠
１４   縦枠
１５   縦枠
２３   下部戸当り
２４   縦戸当り
２５   縦戸当り
３０   ドア
４０   ヒンジ
５０   止水板
５１   板材
５１ａ 突起
５１ｂ 溝
５２   シール
５３   下部シール
５３ａ ウエブ
５３ｂ フランジ部
５３ｃ フランジ部
５３ｄ 下部軟質止水材
５４   側部シール
５５   側部シール
５５ａ ウエブ
５５ｂ フランジ部
５５ｃ フランジ部
５５ｄ 側部軟質止水材
６３   下部パッキン
６５   縦パッキン
８１   吸水性材料
８２   袋
８３   下部鉛直部
８４   下部張出部
８５   側部鉛直部
８６   側部張出部
【図１】
0006614844.tif 000002
【図２】
0006614844.tif 000003
【図３】
0006614844.tif 000004
【図４】
0006614844.tif 000005
【図５】
0006614844.tif 000006
【図６】
0006614844.tif 000007